(57)【要約】【課題】ネットワーク上にメーカー主導による新たな製品販売システムを開設する。【解決手段】ネットワークに接続されたメーカー端末と、ユーザ端末と，中間業者端末と、サーバー用コンピューターとから成り、各端末はネットワークを介してサーバー用コンピューターに接続して情報の通信を行うものであって、メーカーはネットワークのサーバー用コンピューターに独自にウェブ販売サイトを開設し、中間業者は上記メーカー等の商品の固有の在庫を持つと共に、その在庫商品のうち上記メーカーの商品を優先的に上記ウェブ販売サイトに掲載し、ユーザが所望の商品を発注すると、その発注情報はウェブ販売サイトから中間業者に送られ、中間業者はその発注情報に基づき在庫商品をユーザに発送し、同時に、ウェブ販売サイトとユーザとの間に構築された与信及び代金決済に関する仕組みを介して課金処理を行う。【選択図】図１
2011070551.tif 000002
【特許請求の範囲】
【請求項１】
ネットワークに接続されたメーカー端末と、ユーザ端末と，中間業者端末と、サーバー用コンピューターとから成り、各端末はネットワークを介してサーバー用コンピューターに接続して各種情報の通信を行う製品販売システムであって、メーカーはネットワークのサーバー用コンピューターに独自にウェブ販売サイトを開設し、中間業者は上記メーカー及び他のメーカーの商品の固有の在庫を持つと共に、その在庫商品のうち上記メーカーの商品を優先的に上記ウェブ販売サイトに掲載し、ユーザが上記ウェブ販売サイトにアクセスして掲載された商品から所望の商品を発注すると、その発注情報はウェブ販売サイトから中間業者に送られ、中間業者はその発注情報に基づき在庫商品をユーザに発送し、同時に、ウェブ販売サイトとユーザとの間に構築された与信及び代金決済に関する仕組みを介して課金処理を行うようにしたことを特徴とするネットワークによる製品販売システム。
【請求項２】
ネットワークに接続されたメーカー端末と、ユーザ端末と，中間業者端末と、サーバー用コンピューターとから成り、各端末はネットワークを介してサーバー用コンピューターに接続して各種情報の通信を行う製品販売システムであって、メーカーはネットワークのサーバー用コンピューターに独自にウェブ販売サイトを開設し、その販売サイトは個々の中間業者専用に設け、個々の中間業者は上記メーカー及び他のメーカーの商品の固有の在庫を持つと共に、その在庫商品のうち上記メーカーの商品を優先的に上記ウェブ販売サイトに掲載し、ユーザが上記ウェブ販売サイトにアクセスして掲載された商品から所望の商品を発注すると、中間業者はその発注情報に基づき在庫商品をユーザに発送し、同時に、中間業者とユーザとの間に構築された与信及び代金決済に関する仕組みを介して課金処理を行うようにしたことを特徴とするネットワークによる製品販売システム。
【請求項３】
ネットワークに接続されたメーカー端末と、ユーザ端末と，サーバー用コンピューターとから成り、各端末はネットワークを介してサーバー用コンピューターに接続して各種情報の通信を行う製品販売システムであって、メーカーはネットワークのサーバー用コンピューターに独自にウェブ販売サイトを開設し、その販売サイトは上記メーカー及び他のメーカーの商品の在庫を仮想的に持つと共に、その商品のうち上記メーカーの商品を優先的に上記ウェブ販売サイトに掲載し、ユーザが上記ウェブ販売サイトにアクセスして掲載された商品から所望の商品を発注すると、メーカーはその発注情報に基づき在庫商品をユーザに直接発送し、同時に、ウェブ販売サイトとユーザとの間に構築された与信及び代金決済に関する仕組みを介して課金処理を行うようにしたことを特徴とするネットワークによる製品販売システム。
【請求項４】
上記請求項１から請求項３に記載した製品販売システムにおいて、メーカーがウェブ販売サイトに固有の付加価値サービスを提供するようにしたネットワークによる製品販売システム
【請求項５】
上記付加価値サービスは、（１）ポイントサービス、（２）先行割引サービス、（３）セール品、アウトレット販売など、（４）図面作成サービズ、（５）ボリュームディスカウントサービス、（６）共同購入サービス、（７）逆オークションサービスなどである請求項４記載のネットワークによる製品販売システム。
【請求項６】
ネットワークに接続されたメーカー端末と、ユーザ端末と，中間業者端末と、サーバー用コンピューターとから成り、各端末はネットワークを介してサーバー用コンピューターに接続して各種情報の通信を行う製品販売システムであって、メーカーはネットワークのサーバー用コンピューターに独自にウェブサイトを開設し、このウェブサイトには複数の中間業者を登録しておき、ユーザが上記ウェブサイトにアクセスし、登録されている中間業者を選択して必要な見積を依頼すると、ウェブサイトは中間業者に見積依頼を紹介し、中間業者は見積を作成してユーザに提出し、ユーザはこの見積書をもとに中間業者に直接発注し，中間業者は、その発注情報に基づき在庫商品をユーザに直接発送し、同時に、中間業者とユーザとの間に構築された与信及び代金決済に関する仕組みを介して課金処理を行うようにしたことを特徴とするネットワークによる製品販売システム。
【発明の詳細な説明】
【技術分野】
【０００１】
この発明は、インターネットに代表されるネットワーク上に開設したウェブ販売サイトを通じてエンドユーザに製品を販売するシステムに関する。
【背景技術】
【０００２】
一般に、製品の流通は、製品の製造業者であるメーカーと、最終の消費者であるエンドユーザと、このメーカーとエンドユーザとの間に介在する１乃至複数の中間業者との間で成立している。即ち、メーカーは製品を製造し、中間業者に卸す。この中間業者は製品を仕入れ、倉庫等に保管する。そしてエンドユーザは中間業者から製品を購入する。
【０００３】
また、例えば、本出願人が主に製造・販売する給水システムに関連する商品に関しては、専門的な商品であるから、取り扱う中間業者やエンドユーザはある程度限られた範囲となり、そのような専門の業者間で、一定の流通システムが成立している。しかし、メーカーはユーザが求める製品をすべて製造している訳ではなく、中間業者もすべてのメーカーの製品を扱っているのではないから、ユーザは複数のメーカーや中間業者から個別に商品を購入することになり、その流通システムは複雑なものとなっている。また、時代の変化に伴い、このような流通システムが普遍的に継続していくとも限らない。
【０００４】
一方、今日では、インターネットの広汎な普及に伴い、ネットワーク上には数多くの販売サイトが存在する。そして、その形態も様々であるが、大別すると、メーカーが独自の販売販売サイトを設け、そのメーカーの製品のみを直販する場合と、中間業者がメーカーと関係なく販売サイトを設け、複数のメーカーの商品を取り扱う場合とがある。
【０００５】
そして、その具体的態様としても、例えば特許文献１〜３に示すように、色々なプログラムやシステムが提案されている。
【先行技術文献】
【特許文献】
【０００６】
【特許文献１】特許第３５５５５７１号
【特許文献２】特許第４０８６２８６号
【特許文献３】特許第４１５３２４３号
【発明の概要】
【発明が解決しようとする課題】
【０００７】
しかしながら、これらのものは基本的には、従来のメーカー、中間業者、エンドユーザの関係を踏襲するものであり、既存の流通の関係をネットワーク上に置き換えたものに過ぎないものである。
【０００８】
また、メーカーが直販するシステムを新たに構築すると、従来ネットワークを介さないで行われてきた既存の営業ルートにおいて、中間業者との関係に支障を来すおそれがあり、一方、中間業者が主体となったシステムでは、メーカーとユーザとの関係が希薄となり、新たな製品開発にユーザの声が反映できないという課題もある。
【０００９】
本発明は、これら既存の関係を見直し、ネットワーク上にメーカー主導による新たな製品販売システムを開設することを提案するものである。
【課題を解決するための手段】
【００１０】
これらの課題を解決するため、本発明は、ネットワークによる製品販売システムとして、ネットワークに接続されたメーカー端末と、ユーザ端末と，中間業者端末と、サーバー用コンピューターとから成り、各端末はネットワークを介してサーバー用コンピューターに接続して各種情報の通信を行う製品販売システムであって、メーカーはネットワークのサーバー用コンピューターに独自にウェブ販売サイトを開設し、中間業者は上記メーカー及び他のメーカーの商品の固有の在庫を持つと共に、その在庫商品のうち上記メーカーの商品を優先的に上記ウェブ販売サイトに掲載し、ユーザが上記ウェブ販売サイトにアクセスして掲載された商品から所望の商品を発注すると、その発注情報はウェブ販売サイトから中間業者に送られ、中間業者はその発注情報に基づき在庫商品をユーザに発送し、同時に、ウェブ販売サイトとユーザとの間に構築された与信及び代金決済に関する仕組みを介して課金処理を行うようにするという手段を採用した。
【００１１】
また、ネットワークに接続されたメーカー端末と、ユーザ端末と，中間業者端末と、サーバー用コンピューターとから成り、各端末はネットワークを介してサーバー用コンピューターに接続して各種情報の通信を行う製品販売システムであって、メーカーはネットワークのサーバー用コンピューターに独自にウェブ販売サイトを開設し、その販売サイトは個々の中間業者専用に設け、個々の中間業者は上記メーカー及び他のメーカーの商品の固有の在庫を持つと共に、その在庫商品のうち上記メーカーの商品を優先的に上記ウェブ販売サイトに掲載し、ユーザが上記ウェブ販売サイトにアクセスして掲載された商品から所望の商品を発注すると、中間業者はその発注情報に基づき在庫商品をユーザに発送し、同時に、中間業者とユーザとの間に構築された与信及び代金決済に関する仕組みを介して課金処理を行うようにするという手段を採用した。
【００１２】
さらに、ネットワークに接続されたメーカー端末と、ユーザ端末と，サーバー用コンピューターとから成り、各端末はネットワークを介してサーバー用コンピューターに接続して各種情報の通信を行う製品販売システムであって、メーカーはネットワークのサーバー用コンピューターに独自にウェブ販売サイトを開設し、その販売サイトは上記メーカー及び他のメーカーの商品の在庫を仮想的に持つと共に、その商品のうち上記メーカーの商品を優先的に上記ウェブ販売サイトに掲載し、ユーザが上記ウェブ販売サイトにアクセスして掲載された商品から所望の商品を発注すると、メーカーはその発注情報に基づき在庫商品をユーザに直接発送し、同時に、ウェブ販売サイトとユーザとの間に構築された与信及び代金決済に関する仕組みを介して課金処理を行うようにするという手段を採用した。
【００１３】
そして、これらの製品販売システムにおいて、メーカーがウェブ販売サイトに固有の付加価値サービスを提供するという手段を採用した。
【００１４】
具体的に、上記付加価値サービスは、（１）ポイントサービス、（２）先行割引サービス、（３）セール品、アウトレット販売など、（４）図面作成サービズ、（５）ボリュームディスカウントサービス、（６）共同購入サービス、（７）逆オークションサービスなどである。
【００１５】
上記製品販売システムは、製造メーカーが主体となってウェブ販売サイトを開設、運用するようにし、メーカー、中間業者、ユーザに間に、新たなシステムを提案するものである。
【００１６】
また、ネットワークに接続されたメーカー端末と、ユーザ端末と，中間業者端末と、サーバー用コンピューターとから成り、各端末はネットワークを介してサーバー用コンピューターに接続して各種情報の通信を行う製品販売システムであって、メーカーはネットワークのサーバー用コンピューターに独自にウェブサイトを開設し、このウェブサイトには複数の中間業者を登録しておき、ユーザが上記ウェブサイトにアクセスし、登録されている中間業者を選択して必要な見積を依頼すると、ウェブサイトは中間業者に見積依頼を紹介し、中間業者は見積を作成してユーザに提出し、ユーザはこの見積書をもとに中間業者に直接発注し，中間業者は、その発注情報に基づき在庫商品をユーザに直接発送し、同時に、中間業者とユーザとの間に構築された与信及び代金決済に関する仕組みを介して課金処理を行うようにするという手段を採用した。
【００１７】
これにより、見積の発注から商品の納入までを一連にシステム化できるものである。
【発明の効果】
【００１８】
本発明に係る製品販売システムは、商品の製造メーカーが主体となってウェブ販売サイトを開設、運用するようにしたので、ウェブ販売による新たな顧客を確保し、売上の拡大に寄与することができる。また、ウェブを通じて直接ユーザと関係を持つことができるので、相互の関係の強化を図ることが可能になり、既存及び新規のユーザの売上拡大に寄与する。このとき、中間業者を介在させたシステムとしているので、ネットワークを利用しない既存の営業ルートにおける中間業者との関係に支障が出ることもない。さらに、中間業者がウェブ販売に関与することで、中間業者にとっても、売上の拡大に貢献するなどの利点がある。
【００１９】
また、ウェブ販売において、他のメーカーの商品も取り扱うようにしているので、従来、単一メーカーのみでは対応できなかったユーザの多彩なニーズに対応できるようになり、個々のユーザにとっても商品選択の幅が広がるなど、多くの利点がある。
【００２０】
そして、製造メーカーが主体となってウェブ販売サイトを開設し，運用するようにしているので、メーカーが直販するシステムとも、中間業者が独自でメーカーと無関係に販売するシステムとも異なる態様であって、既存のメーカー、中間業者、ユーザの相互の関係を認識しつつ、販売及び物流において、新しいシステムを提案するものとなっている。
【図面の簡単な説明】
【００２１】
【図１】本発明の第１実施形態の構成を説明するものである。
【図２】本発明の第２実施形態の構成を説明するものである。
【図３】本発明の第３実施形態の構成を説明するものである。
【図４】本発明の第４実施形態の構成を説明するものである。
【図５】本発明のハードウエアの構成の概念図である。
【発明を実施するための形態】
【００２２】
以下、本発明に係るネットワークによる製品販売システムの幾つかの好ましい実施形態を、添付図面に従って説明する。
【００２３】
図５は、本発明を構築する上で必要なハードウエアの構成の概略図である。図において、１はインターネットに代表されるネットワーク、２はこのネットワーク１と接続するサーバー用コンピューター、３は同じくネットワーク１と接続するメーカー端末、４はユーザ端末、５は中間業者端末で、いずれも上記ネットワーク１と接続する。各端末３、４、５は、適宜な手順により、ネットワーク１を介してサーバー用コンピューター２に接続し、下述する各種情報の通信を行う。これらのハードウエアの構成は、基本的に従来公知のネットワークシステムと同じものである。
【００２４】
なお、サーバー用コンピューター２の設置場所は特に限定するものではなく、独立して設置される他、下述するようなシステムの運用態様によって、メーカー端末３と同じ場所、或いは、中間業者端末５と同じ場所に設置されることがある。
【００２５】
（第１実施形態）
図１は本発明システムの第１実施形態を示すものである。図において、１１は、商品を製造するメーカー１２が独自にサーバー用コンピューター上に設けたウェブ販売サイトである。１３、１３は、卸問屋等の中間業者であり、それぞれが固有の在庫を持ち、その在庫商品を上記ウェブ販売サイト１１に掲載する。１４はユーザで、上記ウェブ販売サイト１１にアクセスし、所望の商品を購入する。形式的には、従来のネットによるオンライン・ショッピングの態様とほぼ同じである。
【００２６】
なお、ウェブ販売サイト１１では、中間業者１３ごとではなく、商品カテゴリごとに商品を掲載する。また、一般に中間業者１３は、一のメーカーの商品のみを扱うのではないから、上記製造メーカー１２以外の複数の他のメーカー１２ａ・・・の商品も掲載される。即ち、このウェブ販売サイトは、メーカー１２が開設するものではあるが、そのメーカー１２のみの商品を取り扱うのではなく、他のメーカー１２ａ・・・の商品も取り扱うようにする。これは、ユーザ１４の商品選択の幅を広げ、一度に複数のメーカーの商品を購入可能として、ユーザ１４の便宜に供するためである。但し、この場合、ウェブ販売サイト１１の開設者であるメーカー１２の取扱い商品を優先的に掲載して、他のメーカー１２ａに対して優位な立場を維持することが好ましい。また、例えば、メーカー１２の固有のウェブサイトからこのウェブ販売サイト１１にリンクさせておき、メーカー固有のユーザ１４の移行をスムーズにして集客を図る。
【００２７】
次に、この図１によって本システムの運用を説明する。まず、中間業者１３、１３は、それぞれウェブ販売サイト１１に自己の在庫商品を掲載する。このとき、商品カテゴリごとに掲載するので、ユーザ１４から見ると同一画面で複数の中間業者１３、１３の在庫商品を一覧で確認することができる。ユーザ１４は、そのユーザ端末から希望商品についてウェブ販売サイト１１に対し発注情報を送信する。その発注情報はウェブ販売サイト１１から中間業者１３、１３に送られる。このとき、ウェブ販売サイト１１とユーザ１４の間には、与信の仕組みと、代金決済に関する仕組みとが予め構築されている。中間業者１３、１３は、発注情報に従いその在庫商品をユーザ１４に発送する。同時に課金処理等も行う。また、適宜、メーカー１２、及び他のメーカー１２ａから商品を仕入れて在庫の充実を図る。従って、ウェブ販売サイトでは商品在庫を持たず、原則的には中間業者１３、１３の在庫とその物流システムを利用することになる。
【００２８】
なお、メーカー１２はウェブ販売サイト１１で売れた商品について、中間業者１３に対して一定のシステム利用料を課金するようにしてもよい。また、ユーザ１４については、ウェブ販売を利用することについて、価格面でメリットとなるようにすることが好ましく、さらに、ウェブ販売ならではの付加価値サービスを提供する。
【００２９】
ウェブ販売における付加価値サービスとしては、以下のようなものが考えられる。
（１）ポイントサービス
ウェブ販売サイトでの購入金額や利用回数に応じて、ユーザに一定のポイントを付与するサービスである。そして、付与したポイントは、次回購入時に割引として利用したり、所定ポイントを貯めることで所望の商品と交換できるようにするなどの特典を提供する。
【００３０】
（２）先行割引サービス
これは、例えば商品の納期が一定期間、先（一ヶ月先、二ヶ月先等）の発注を先行して受け付けることにより、販売価格を割り引くサービスである。メーカーにとっては、適正な生産計画を立てることができ、生産計画が平準化するので、製造コストを抑えて製造できるため、販売価格を抑えることができる。又、ユーザも購入価格を抑制できるメリットがある。この場合、メーカー主導で行い、商品をユーザに直送するようにすれば、中間業者の負担が軽減され、物流コストも低減できる。
【００３１】
（３）セール品、アウトレット販売など
季節によって一定商品のセールを行ったり、余剰製品を低価格で販売するアウトレット販売を行うサービスである。
【００３２】
（４）図面作成サービス
出願人は，主に給水システムの事業を行っており、これを例に説明する。例えば、ユーザから住宅ＣＡＤ図面を送付してもらい、この図面に対して配管図を作成すると共に、その配管に必要な部材をリストアップし、見積もりも行うサービスである。ユーザはその内容で中間業者に発注するだけでよく、また、すべての部材は施工住宅に個別に配送する。これによりユーザの負担が軽減されると共に、メーカーや中間業者においては、確実な受注が見込める。また、給水給湯配管部材以外に、関連する部材、例えば配水管やトイレなどの器具を取り扱うことも可能である。これは出願人の行う事業に限らず、他の事業においても、類似のサービスを行うことが可能である。
【００３３】
（５）ボリュームディスカウントサービス
ケース単位等、注文ロットが多くなる場合に、販売価格を低減するサービスである。
【００３４】
（６）共同購入サービス
複数のエンドユーザがまとまって同じ商品を同じ時期に購入する場合、ボリュームディスカウントと同様に、販売価格を低減するサービスである。
【００３５】
（７）逆オークションサービス
ユーザが商品の価格を提示し、その価格で販売できる中間業者が応札して販売を行うサービスである。
【００３６】
これらのサービスを行うことにより、ユーザは価格の低減が期待でき、一方、メーカーや中間業者は確実な受注が期待でき、両者にとって有益なサービスとなる。
【００３７】
（第２実施形態）
次に、図２によって本システムの第２実施形態について説明する。２１は、商品を製造するメーカー２２が独自に設けるウェブ販売サイトであるが、卸問屋等の中間業者２３、２３と個別に契約し、それぞれの中間業者の専門ショップとして設けるものである。新たにウェブ販売を計画している中間業者に対して提案するものである。中間業者が固有の在庫を持ち、その在庫商品を上記ウェブ販売サイト２１に掲載する。２４はユーザで、上記ウェブ販売サイト２１にアクセスし、所望の商品を購入する。
【００３８】
なお、ウェブ販売サイト２１では、商品カテゴリごとに商品を掲載する点、及び、製造メーカー２２以外の複数の他のメーカー２２ａ・・・の商品を掲載する点は前記第１実施形態と同様である。即ち、一度に複数のメーカーの商品を購入可能として、ユーザ２４に便宜に供する。なお、集客は基本的に中間業者２３が独自で行うことになる。
【００３９】
続いて、この第２実施形態のシステムの運用について、図２に従って説明する。製造メーカー２２は、各中間業者２３、２３ごとにウェブ販売サイト２１を開設し、各中間業者２３は、自己のウェブサイト２１に自己の在庫商品を掲載する。この場合、ユーザ２４から見ると、同一画面で複数のメーカーの在庫商品を商品カテゴリごとに一覧できることになる。ユーザ２４は、そのユーザ端末から希望商品についてウェブ販売サイト２１に対し発注情報を送信する。中間業者２３とウェブ販売サイト２１とは一体なので、中間業者２３は、発注情報に従いその在庫商品をユーザ２４に発送する。このとき、中間業者２３とユーザ２４の間には、与信の仕組みと代金決済に関する仕組みとが構築されているので、同時に課金処理を行うことが可能である。また、中間業者２３は、メーカー２２、及び他のメーカー２２ａから商品を仕入れて在庫の充実を図る。従って、ウェブ販売サイト２１自体は商品在庫を持たず、併設する中間業者２３の在庫と物流システムを利用することになる。
【００４０】
なお、メーカー２２はウェブ販売サイト２１で売れた商品について、中間業者２３に対して一定のシステム利用料を課金するようにしてもよい。また、ユーザ２４については、ウェブ販売を利用することについて、価格面でメリットとなるようにすることが好ましく、さらに、ウェブ販売ならではの付加価値サービスを提供する。
【００４１】
ウェブ販売における付加価値サービスとしては、上記第１実施形態の場合と同様に、以下のようなものが考えられる。即ち、（１）ポイントサービス、（２）先行割引サービス、（３）セール品、アウトレット販売など、（４）図面作成サービズ、（５）ボリュームディスカウントサービス、（６）共同購入サービス、（７）逆オークションサービスなどである。
【００４２】
（第３実施形態）
次に、本販売システムの第３実施形態を、図３について説明する。図３において、３１は、商品を製造するメーカー３２が独自にサーバー用コンピューターに設けたウェブ販売サイトである。図の点線で囲んで示す従来既存の関係では中間業者３３がある経路に、これに代えてウェブ販売サイト３１を設けたものである。ユーザ３４は、このウェブサイト３１にアクセスし、所望の商品を購入する。ウェブ販売サイト３１の運営はメーカー３２またはその子会社が行うが、事実上、メーカー３２がユーザ３４に直販するモデルとなる。メーカー３２固有のユーザ３４をウェブサイトの顧客として移行し、集客を図る。なお、ウェブ販売サイト３１自体は在庫は持たず、メーカー３２が有する在庫を仮想的に表示する。
【００４３】
なお、ウェブ販売サイト３１はメーカー３２が開設するものではあるが、そのメーカー以外の複数の他のメーカー３２ａの商品も掲載する。即ち、一度に複数のメーカーの商品を購入可能として、ユーザ３４に便宜に供する。但し、この場合、ウェブ販売サイト３１の設置者であるメーカー３２の取扱い商品を優先的に掲載して、他のメーカー３２ａに対して優位な立場を維持することが好ましい。
【００４４】
続いて、この第３実施形態のシステムの運用について、図３に従って説明する。製造メーカー３２は、ネットワーク上に独自のウェブ販売サイト３１を開設すると共に、取扱い商品を掲載する。この場合、ユーザ３４から見ると、同一画面で複数のメーカーの商品を商品カテゴリごとに一覧できることになる。ユーザ３４は、そのユーザ端末から希望商品についてウェブ販売サイト３１に対して発注情報を送信する。この発注情報に対しては、メーカー３２がその在庫をユーザ３４に直送することになる。他のメーカー３２ａの場合は、在庫を持っていないので、発注情報が他のメーカー３２ａに転送され、他のメーカー３２ａから商品を直送することになる。このとき、ウェブ販売サイト３１とユーザ３４との間には、与信の仕組みと代金決済に関する仕組みが構築されているので、課金処理を行うことも可能である。
【００４５】
なお、ユーザ３４については、ウェブ販売を利用することについて、価格面でメリットとなるようにすることが好ましく、さらに、ウェブ販売ならではの付加価値サービスを提供する。
【００４６】
ウェブ販売における付加価値サービスとしては、上記第１実施形態や第２実施形態の場合と同様に、以下のようなものが考えられる。即ち、（１）ポイントサービス、（２）先行割引サービス、（３）セール品、アウトレット販売など、（４）図面作成サービズ、（５）ボリュームディスカウントサービス、（６）共同購入サービス、（７）逆オークションサービスなどである。
【００４７】
（第４実施形態）
次に、本販売システムの第４実施形態を、図４について説明する。これは予め見積を受け付けるシステムである。図４において、４１は、商品を製造するメーカー４２が独自にサーバー用コンピューターに設けたウェブサイトである。このウェブサイトには複数の中間業者４３、４３が登録されており、ユーザ４４からの見積依頼を受け付けている。ユーザ４４はウェブサイトには見積を依頼するのみであり、ウェブサイトは在庫を持たない。ウェブサイトへの集客は、メーカー４２固有のユーザを移行して行う。
【００４８】
次に、この第４実施形態のシステムの運用について説明する。先ず、ユーザ４４は、ウェブサイト４１にアクセスし、登録されている中間業者４３を選択すると共に、必要な見積を依頼する。ウェブサイト４１はその見積依頼を選択された登録中間業者４３に紹介する。この中間業者４３は、ウェブサイト４１から見積依頼を紹介されると、見積を作成しユーザ４４に提出する。ユーザ４４は、この見積書をもとに中間業者４３に直接発注し、中間業者４３は在庫商品をユーザ４４に発送する。このとき、中間業者４３とユーザ４４との間には、従来通り、与信の仕組みと代金決済に関する仕組みが構築されているので、課金処理を行うことが可能である。なお、中間業者４３は、メーカー４２及び他のメーカー４２ａから商品を仕入れ、在庫の充実を図る。従って、基本的に中間業者４３の在庫と物流システムを利用することになる。
【００４９】
以上の各実施形態から分かるように、本製品販売システムでは、従来、多くの中間業者がネットワーク上に設けて独自に運用してきたウェブ販売サイトやウェブサイトを、製造メーカーが主体となって開設し，運用するようにしている。これは、メーカーが直販するシステムとも、中間業者が独自でメーカーと無関係に販売するシステムとも異なる態様であって、既存のメーカー、中間業者、ユーザの関係を認識しつつ、販売及び物流において、新しいシステムを提案するものである。
【符号の説明】
【００５０】
１    ネットワーク
２    サーバー用コンピューター
３    メーカー端末
４    ユーザ端末
５    中間業者端末
１１    ウェブ販売サイト
１２    メーカー
１２ａ  他のメーカー
１３    中間業者
１４    ユーザ
２１    ウェブ販売サイト
２２    メーカー
２２ａ  他のメーカー
２３    中間業者
２４    ユーザ
３１    ウェブ販売サイト
３２    メーカー
３２ａ  他のメーカー
３３    中間業者
３４    ユーザ
４１    ウェブサイト
４２    メーカー
４２ａ  他のメーカー
４３    中間業者
４４    ユーザ
【図１】
2011070551.tif 000003
【図２】
2011070551.tif 000004
【図３】
2011070551.tif 000005
【図４】
2011070551.tif 000006
【図５】
2011070551.tif 000007